(57)【特許請求の範囲】
【請求項１】
テレビジョン放送を受信すると共に、送信者が受信者への送信を所望する同一内容の文字及び音声情報からなるメッセージ情報を貯蔵する外部ホストコンピュータから聴覚障害の受信者宛の前記メッセージ情報を受信するＴＶ受信器において、
前記ホストコンピュータのうち少なくとも１つの電話番号を貯蔵する貯蔵部と、
前記ホストコンピュータに情報要求信号を送るために前記貯蔵部に貯蔵された電話番号を読出し、受信者の命令により前記ＴＶ受信器の全動作を制御する制御部と、
前記ホストコンピュータに変調信号を伝送するために前記制御部により出力された情報要求信号を変調し、前記ホストコンピュータから受信されたメッセージ情報を復調するモデムと、
ＴＶ信号を受信するＴＶ信号受信部と、
ビデオ信号を出力する画面部と、
オーディオ信号を出力するスピーカーと、
ＴＶビデオ信号及びＴＶオーディオ信号を発生するためにＴＶ信号を復調し、受信されたメッセージ情報をビデオ情報信号及びオーディオ情報信号に分離し、ビデオ情報信号とＴＶビデオ信号とを結合し、オーディオ情報信号をＴＶオーディオ情報信号に結合するＴＶ信号処理部とを含み、
前記結合したビデオ情報信号又はＴＶビデオ信号を前記画面部に出力し、前記結合したオーディオ情報信号又はＴＶオーディオ情報信号を前記スピーカーに出力するテレビ受信装置。
【請求項２】
前記ホストコンピュータから受信された文字及び音声情報は電話網を通して伝送されることを特徴とする請求項１に記載の音声及び文字メッセージを受信するテレビ受信装置。
【請求項３】
前記貯蔵部はＥＥＰＲＯＭであることを特徴とする請求項１に記載の音声及び文字メッセージを受信するテレビ受信装置。
【請求項４】
前記貯蔵部は前記テレビ受信器を共有する受信者に割当てられた少なくとも１つのパスワードをさらに貯蔵することを特徴とする請求項１に記載の音声及び文字メッセージを受信するテレビ受信装置。
【請求項５】
ホストコンピュータに変調信号を伝送するために制御部により電話網を通してテレビ受信器に受信され、送信された情報信号を変復調し、前記ホストコンピュータから受信された聴覚障害の受信者宛の同一内容の文字及び音声情報からなるメッセージ情報を復調するモデムを含むテレビ受信器を使用する音声及び文字メッセージング方法において、
(a)受信者によるメッセージング要求サービス命令か否かを決定する段階と、
(b)前記(a)段階でメッセージングサービスを要求する入力キーがある時ＴＶ画面にホスト−接続オプションを含むメニューを表示する段階と、
(c)前記(b)段階で前記ホスト−接続オプションが選択される時ホストコンピュータにラインを接続する段階と、
(d)受信者宛のメッセージ情報があったらホストコンピュータに貯蔵された受信者宛のメッセージ情報のリストを示す段階と、
(e)リストにあるメッセージ情報中の１つを選択する段階と、
(f)選択されたメッセージ情報を受信し、スピーカーを通して音声メッセージを出力し、画面を通して文字メッセージを出力する段階とを含むことを特徴とするテレビ受信装置を用いた音声及び文字伝達方法。
【発明の詳細な説明】
【０００１】
【発明の属する技術分野】
本発明は音声及び文字伝達装置及び方法に係り、特に音声及び文字メッセージを受信しうるテレビ受信装置に関する。ちなみに、本発明はテレビ受信装置を用いた音声及び文字伝達方法に関する。
【０００２】
【従来の技術】
受信者の留守中にも電話ラインを通したメッセージの伝送を希望する場合、個人用自動応答装置が受信者のためにメッセージを記録したり再生するために使用されてきた。または、音声メッセージングサービスはホストコンピュータを用いた通信サービス供給者により提供されてきた。しかし、このようなシステムにおいて情報はハンドセット型電話機またはスピーカーを備えた他の装置にスピーカーにより出力される。従って、伝送された情報の種類は音声信号に制限され、文字及びグラフィック形の情報はそのような装置が使用できない。また、聴覚障害者もそのような装置が使用できない。一方、電子メールサービスを使用することによりメッセージが受信器により読取られるようにサービス供給者のホストコンピュータにメッセージを貯蔵しうる。しかし、電子メールサービスの使用希望者はコンピュータを具備する必要がある。さらに、典型的な電子メールサービスは音声情報を容易に伝送できない。最近、電話番号外に情報を示しうるポケットベル（ページャ）が商業化されている。しかし、そのようなポケットベルは極少量の文字情報のみを示しうる。従って、情報が音声またはグラフィックの形を有する場合または情報が多量の場合効果的に受信できない。逆に、テレテキスト情報を受信しうるテレビ受信装置は株式または商品情報に関した情報を受信しうる。しかし、このようなテレビにおいて、同一な情報はテレビを具備した全ての人に伝送され、個人メッセージは受信できない。
【０００３】
【発明が解決しようとする課題】
本発明が解決しようとする技術的課題は音声メッセージと共に文字メッセージを受信し、スピーカーを通して音声メッセージを出力する間テレビスクリーンに文字メッセージを出力しうるテレビ受信装置を提供するにある。
本発明の他の技術的課題はテレビ受信装置を使用した音声及び文字メッセージング方法を提供するにある。
【０００４】
【課題を解決するための手段】
前記技術的課題を解決するために本発明は、テレビジョン放送を受信すると共に、文字及び音声情報を貯蔵する外部ホストコンピュータから音声及び文字メッセージを受信するＴＶ受信器において、前記ホストコンピュータのうち少なくとも１つの電話番号を貯蔵する貯蔵部と、前記ホストコンピュータに情報要求信号を送るために前記貯蔵部に貯蔵された電話番号を読出し、使用者の命令により前記ＴＶ受信器の全動作を制御する制御部と、前記ホストコンピュータに変調信号を伝送するために前記制御部により出力された情報要求信号を変調し、前記ホストコンピュータから受信された文字及び音声情報を復調するモデムと、ＴＶ信号を受信するＴＶ信号受信部と、ビデオ信号を出力する画面部と、オーディオ信号を出力するスピーカーと、ＴＶビデオ信号及びＴＶオーディオ信号を発生するためにＴＶ信号を復調し、受信された情報をビデオ情報信号及びオーディオ情報信号に分離し、ビデオ情報信号とＴＶビデオ信号とを結合し、オーディオ情報信号をＴＶオーディオ情報信号に結合するＴＶ信号処理部とを含み、前記結合したビデオ情報信号又はＴＶビデオ信号を前記画面部に出力し、前記結合したオーディオ情報信号又はＴＶオーディオ情報信号を前記スピーカーに出力するテレビ受信装置である。
【０００５】
前記他の技術的課題を解決するために本発明は、ホストコンピュータに変調信号を伝送するために制御部により電話網を通してテレビ受信器に受信され、送信された情報信号を変復調し、前記ホストコンピュータから受信された文字及び音声情報を復調するモデムを含むテレビ受信器を使用する音声及び文字メッセージング方法において、（ａ）  使用者によるメッセージング要求サービス命令か否かを決定する段階と、（ｂ）  前記（ａ）  段階でメッセージングサービスを要求する入力キーがある時ＴＶ画面にホスト−接続オプションを含むメニュー表示段階と、（ｃ）  前記（ｂ）  段階で前記ホスト−接続オプションが選択される時ホストコンピュータにラインを接続する段階と、（ｄ）  使用者のために何れの情報があったらホストコンピュータに貯蔵された情報のリストを示す段階と、（ｅ）  リストにある情報中の１つを選択する段階と、（ｆ）  選択された情報を受信し、スピーカーを通して音声メッセージを出力し、画面を通して文字メッセージを出力する段階とを含むことを特徴とするテレビ受信装置を用いた音声及び文字伝達方法である。
【０００６】
【発明の実施の形態】
以下、添付された図面に基づき本発明の望ましい実施例を説明する。
図１はメッセージングサービスを行う外部機器と共に本発明によるテレビ受信装置の一実施例を示す。図１を参照するに、本発明のテレビ受信器はメーン部１１０  、リモコン１２０  、アンテナ１６０  及びケーブルテレビ（ＣＡＴＶ）チューナ１７０  を含む。
【０００７】
テレビ受信器のメーン部１１０  は電話会社のホストコンピュータ１４０  または電話網１３０  を通した情報サービス供給者に選択的に接続される。一方、ホストコンピュータ１４０  はまたメッセージを受信または伝送するために遠くコンピュータ１５０  によりアクセスされうる。電話線が接続される際、ＣＰＵ１１３  はホストコンピュータ１４０  に情報要求信号を送る。テレビ受信器のメーン部１１０  でリモコン受信器１１４  はリモコン１２０  により発生された命令信号を受信し、受信された命令信号をＣＰＵ１１３  に伝送する。ＣＰＵ１３０  はリモコン受信器１１４  から発生される命令によりテレビ受信器の全動作を制御する。メッセージが受信される時ＣＰＵ１１３  はＥＥＰＲＯＭ１１５  に貯蔵されたホストコンピュータ１４０  のアドレスを読出して番号をまわす。電話線が接続される時、ＣＰＵ１１３  はホストコンピュータ１４０  に情報要求信号を送る。
【０００８】
ＥＥＰＲＯＭ１１５  はホストコンピュータ（例えば、電話会社または情報サービス供給者）の電話番号を貯蔵する。ＥＥＰＲＯＭ１１５  はテレビのスイッチオフにも拘らず貯蔵された電話番号が保てる。また、使用者はＥＥＰＲＯＭ１１５  に貯蔵された電話番号が変更でき、リモコンを使用することにより新たな番号を追加しうる。一方、複数の使用者がテレビ受信器を使用する時各個人に対するパスワードはＥＥＰＲＯＭ１１５  に貯蔵され、パスワードの各々は電話番号を変更することと同様に変更されうる。
【０００９】
モデム１１６  は電話網１３０  を通してホストコンピュータ１４０  に変調信号を伝送するためにＣＰＵ１１３  により出力された情報要求信号を変調する。またモデム１１６  はホストコンピュータ１４０  から文字及び音声情報を受信し、ＣＰＵ１１３  に復調情報信号を送るためにその情報を復調する。それから、ＣＰＵ１１３  は復調情報信号を受信して信号プロセッサー１１２  に出力するその信号のタイミングを調整する。
【００１０】
ＴＶ信号プロセッサー１１２  はアンテナ１６０  またはＣＡＴＶチューナ１７０  から受信された放送信号またはビデオカセットレコーダ（図示せず）から受信されたビデオ信号を復調して増幅する。また、ＴＶ信号プロセッサー１１２  は文字、グラフィック及び音声を含む受信された情報をビデオ情報信号とオーディオ情報信号とに分離する。そして、プロセッサーはビデオ情報信号とＴＶビデオ信号を、オーディオ情報信号とＴＶオーディオ信号を結合する。その後、ＴＶ信号プロセッサー１１２  は結合されたオーディオ信号をスピーカー１１７  に出力し、画面１１１  に結合されたビデオ信号を出力する。
【００１１】
図２は本発明による音声及び文字メッセージング方法の一実施例を示すフローチャートである。図１のテレビ受信器の動作は図２に基づき詳しく記述される。
まず、遠距離に位置した人が音声及び文字メッセージを残したり伝送したければ、その人は電話網１３０  を通した情報サービス供給者または電話会社のホストコンピュータ１４０  にコンピュータ１５０  を接続し、ホストコンピュータ１４０  に文字及び音声情報を伝送する。次いで、ホストコンピュータ１４０  はその貯蔵手段にそのような情報を貯蔵する。使用者が如何なるメッセージが受信されているかを確認したい時、使用者はリモコン１２０  にメッセージサービス用のメニューボタンを押す。次いで、リモコン信号はリモコン受信器１１４  を通してＣＰＵ１１３  に印加される。
【００１２】
従って、テレビ受信器内のＣＰＵ１１３  はメッセージングサービス要求キー入力があるかを判断し続ける（２１４段階）。メッセージングサービス要求キー入力があるとメニューが画面に示される（２１６段階）。この時、使用者は多様なメニュー、例えばホストコンピュータ接続、電話番号の変更そしてメッセージングサービスの取消の中から何れか１つを選択しうる。従って、２１８  段階でＣＰＵ１１３  はホスト−接続のためのキー入力があるかを判断する。
【００１３】
仮りに２１８  段階でホスト−接続のためのキー入力があると判断されれば、ＣＰＵ１１３  はＥＥＰＲＯＭ１１５  に貯蔵された電話番号リストを読出してＴＶ信号プロセッサー１１２  を通して画面１１１  にリストを出力する。次いで、使用者はリモコン１２０  を使用することにより画面１１１  に示された電話番号のリストから所望の番号を選択する（２２０段階）  。引続きＣＰＵ１１３  はホストコンピュータ１４０  に接続するために選択された電話番号をまわす。そうすると、テレビ受信器１１０  は電話網１３０  を介してホストコンピュータ１４０  に接続される（２２２段階）。
【００１４】
次いで、使用者のためのホストコンピュータ１４０  の貯蔵手段にどんな情報が存在するかを判断する（２２４段階）。もし、使用者のために貯蔵された情報が存在するとＣＰＵ１１３  に貯蔵された情報のリストはテレビ受信器１１０  に伝送されて受信器１１０  により出力される。もし使用者がリストのある項目を選択するとＣＰＵ１１３  はモデム１１６  を通してホストコンピュータ１４０  の貯蔵手段に貯蔵された文字及び音声情報を受信するためにモデム１１６  に情報要求信号を印加する。次いで、選択された情報はテレビ受信器１１０  に伝送され、テレビ受信器１１０  により出力される（２２６段階）。特に、音声信号はスピーカー１１７  により出力され、ビデオ信号は画面１１１  に示される。引続き、使用者はリストからもう１つの情報を選択しうる。
【００１５】
もし、これ以上情報が存在せず、使用者が中断したければ、接続が終了され（２２８段階）、次いでテレビ受信器１１０  の動作モードを通常的なＴＶ−視聴モードに変換するために２１２  段階に復帰する。
キー入力が２１８  段階でホスト−接続用でなければ、電話番号変更用なのかを判断する（２３０段階）。もし、２３０  段階で電話番号変更用であると判断されると、使用者に新たな電話番号を入力するように要求するメッセージが画面１１１  に示される。もし、新しい電話番号が２３２  段階から入力されると、その番号はＥＥＰＲＯＭ１１５  に貯蔵される（２３４段階）。新しい電話番号を貯蔵した後に２１２  段階に復帰する。
【００１６】
２３０  段階でキー入力が電話番号変更用でないと判断されると、メッセジングサービス取消用なのかを判断する（２３６段階）。もし、２３６  段階でキー入力が取消用であると判断されれば２１２  段階に復帰する。キー入力が２３６  段階でメッセージング取消用でないと判断されると、不法的なことと看做されて２１８  段階が再び行われる。本発明の他の実施例において１つのテレビ受信器が一家族の一員により共有される時パスワードはメッセージングシステムまたはその方法の保安を改善させるために各個人に割当てられる。その場合に、パスワードは電話番号を貯蔵する同じ方式でリモコン１２０  を使用することによりＥＥＰＲＯＭ１１５  に貯蔵されうる。
【００１７】
【発明の効果】
前述したように本発明によれば、使用者が文字またはグラフィックの形にメッセージを受信しうる。そして、音声情報が伝送器と受信器との言語差に因して伝送出来ない場合、または受信者が聴覚障害の場合にもメッセージ情報が受信器（受信者）に伝送されうる。
【図面の簡単な説明】
【図１】メッセージングサービスを行う外部機器と共に本発明によるテレビ受信装置の一実施例を説明する。
【図２】本発明による音声及び文字メッセージング方法の一実施例を示すフローチャートである。
【符号の説明】
１１０  テレビ受信部
１１１  画面
１１２  ＴＶ信号プロセッサー
１１３  ＣＰＵ
１１４  リモコン受信器
１１５  ＥＥＰＲＯＭ
１１６  モデム
１１７  スピーカー
１２０  リモコン
１３０  電話網
１４０  ホストコンピュータ
１５０  コンピュータ
１６０  アンテナ
１７０  ＣＡＴＶ
【図１】
0003562942.tif 000002
【図２】
0003562942.tif 000003